(57)【要約】【課題】動物を乗せた状態での実験者の作業が行いやすい動物保定台を提供する。【解決手段】動物を担持する担架２００の頭部側および尾部側をそれぞれ載置する一対の載置フレーム１０２と、その一対の載置フレーム１０２を支持する単一の支持フレーム１０４と、を備える動物用保定台１００を提供する。ここで、その支持フレーム１０４は、略長方形の台枠１０６と、その台枠１０６の一対の短辺１０８上にそれぞれ設けられている門状枠体１１２と、を有する。また、その載置フレーム１０２は、その門状枠体１１２に沿って上下にスライド可能に設けられた略長方形のスライド枠体１１８と、そのスライド枠体１１８の上辺に設けられている上向きに開口した複数の溝１２８を有する担架シャフトガイド１３０と、を有する。そして、その一対の載置フレーム１０２とその単一の支持フレーム１０４とが、その一対の載置フレーム１０２をそれぞれ独立して昇降させる一対のボールねじ方式の昇降機構１３２によって接続されている。【選択図】図１
2014147376.tif 000002
【特許請求の範囲】
【請求項１】
動物を担持する担架の頭部側および尾部側をそれぞれ載置する一対の載置フレームと、
前記一対の載置フレームを支持する単一の支持フレームと、
を備える動物用保定台であって、
前記支持フレームが、
略長方形の台枠と、
前記台枠の一対の短辺上にそれぞれ設けられている門状枠体と、
を有し、
前記載置フレームが、
前記門状枠体に沿って上下にスライド可能に設けられた略長方形のスライド枠体と、
前記スライド枠体の上辺に設けられている上向きに開口した複数の溝を有する担架シャフトガイドと、
を有し、
前記一対の載置フレームと前記単一の支持フレームとが、前記一対の載置フレームをそれぞれ独立して昇降させる一対のボールねじ方式の昇降機構によって接続されている、
動物用保定台。
【請求項２】
請求項１に記載の動物用保定台において、
前記支持フレームが、
前記門状枠体の支柱部と前記台枠の長辺とを斜めに接続する補強部材をさらに有し、
前記補強部材および前記支柱部の形成する角度が２０°以下である、
動物用保定台。
【請求項３】
請求項１または２に記載の動物用保定台において、
前記昇降機構が、
前記支持フレームに設けられている昇降用ボールねじと、
前記載置フレームに設けられているボールねじナットと、
を有する、
動物用保定台。
【請求項４】
請求項１〜３のいずれかに記載の動物用保定台において、
前記昇降機構が、
昇降用ボールねじを手動で回転するための昇降用ハンドルと、
前記昇降用ハンドルの回転をロックするためのハンドルロックと、
をさらに有する、
動物用保定台。
【請求項５】
請求項４に記載の動物用保定台において、
前記溝が、前記担架シャフトガイドに４箇所以上設けられている、
動物用保定台。
【請求項６】
請求項１〜５のいずれかに記載の動物用保定台において、
前記載置フレームの昇降をガイドするガイド機構をさらに備え、
前記ガイド機構が、前記スライド枠体を前記門状枠体に沿ってスライドさせる、
動物用保定台。
【請求項７】
請求項６に記載の動物用保定台において、
前記ガイド機構が、前記スライド枠体に設けられているガイドブロックまたはガイドリングを有し、
前記ガイドブロックまたはガイドリングは前記門状枠体の支柱部または前記昇降用ボールねじをガイドレールとして摺動自在に設けられている、
動物用保定台。
【請求項８】
請求項１〜７のいずれかに記載の動物用保定台において、
前記台枠の長辺の長さが０．５ｍ〜１．５ｍであり、
前記門状枠体の高さが０．５ｍ〜１．５ｍであり、
前記スライド枠体の長辺の長さが０．５ｍ〜１．５ｍである、
動物用保定台。
【請求項９】
請求項１〜８のいずれかに記載の動物用保定台と、
動物を担持する担架と、
を備える動物用保定キットであって、
前記担架は、
前記動物の腹部から側部にかけて担持する可撓性の面状保定部と、
前記面状保定部を両脇で吊り下げるための一対の担架シャフトと、
を有し、
前記面状保定部は、
前記一対の担架シャフトを挿通するために両脇に設けられている一対の挿通部と、
前記動物の足を入れ込む保定穴と、
を有する、
動物用保定キット。
【請求項１０】
請求項９に記載の動物用保定キットにおいて、
前記保定穴が、体重１５ｋｇ以下の超小型ミニブタの足を収容可能に設けられている、
動物用保定キット。
【発明の詳細な説明】
【技術分野】
【０００１】
本発明は、動物用保定台に関する。
【背景技術】
【０００２】
我が国では非げっ歯類の実験動物としてイヌやサルが主流をなしてきた。しかしながら、動物福祉および倫理の世界的な高まりにより、２０１０年９月に欧州議会で「霊長類の実験使用を原則禁止」が可決され、さらに、２０１１年１２月に米国政府は「チンパンジーの新規実験には研究費を付けない」という方針を明らかにするなど、欧米ではサルを用いた実験の実施が非常に困難となり、伴侶動物であるイヌの実験使用も激減している。そして、我が国でも２００６年の動物愛護法改正により、イヌの実験使用が困難になりつつある。
【０００３】
よって、イヌやサルに代わる非げっ歯類動物の開発は社会的急務である。ブタは家畜（食用）として開発された動物で、欧米では実験利用への抵抗は比較的少ないと考えられ、さらに、ブタは食性や睡眠行動、脂質代謝、循環器系の構造機能などヒトとの類似点が多く、イヌやサルの代替動物として有望視されている。ＥＵ諸国では既に、年間９万頭のブタが研究に用いられるようになり、イヌの年間使用数の４倍以上に達している。しかしながら、一般的なミニブタの体重は３０〜４０ｋｇにも及ぶため、特殊な飼育施設が必要なこと、実験者による取扱いに高い技術を要すること、薬物評価の際には高価な開発候補化合物が大量に必要になること等の理由から、我が国では、イヌの年間利用数約１万数千頭に対してブタの利用数は１千数百頭にとどまる結果となっていた。
【０００４】
近年、世界最小ミニブタであるマイクロミニピッグ（登録商標、富士マイクラ株式会社、静岡県）が作出された。そのサイズは大きなウサギ程度で（成熟時体重約１０ｋｇ）、大規模な飼育施設が不要であり、温厚・従順な性格より一人でも保定可能と取扱いが容易である。
【０００５】
一方、従来の動物用保定台としては、例えば特許文献１に記載されたものがある。この動物用保定台は、担架の面状保定部が、動物の足を入れ込む保定穴及び採血用の採血穴を備え、動物の足を保定穴に入れて担持させ、採血穴から注射器を用いて採血することができる。動物の大きさに対する幅調整は、フレーム側の突出部間に対して担架のハンドルを乗せ変えることで行う。また、特許文献２には、Ｘ字状をなす少なくとも一対のＸフレームを用いる動物用保定台が記載されている。
【先行技術文献】
【特許文献】
【０００６】
【特許文献１】特表２００１−５０５７９９号公報
【特許文献２】特開２００８−９９６７２号公報
【発明の概要】
【発明が解決しようとする課題】
【０００７】
しかしながら、上記文献記載の従来技術は、以下の点で改善の余地を有していた。
第一に、特許文献１の動物用保定台では、ハンドルの乗せ換えは２段階であり、幅調整の自由度が狭く、且つ乗せ換えによる幅調整のための負担が大きいという問題がある。
【０００８】
第二に、特許文献２の動物用保定台では、動物が犬、猫などであっても、担架部の握り部を２人で握り、担架部を持ち上げ、握り部を留め具に係止させる必要が有る。そのため、この動物用保定台では、超小型ミニブタなどの体重１０ｋｇ以下の動物に用いる場合であっても実験者の負担が大きいという問題がある。
【０００９】
本発明は上記事情に鑑みてなされたものであり、超小型ミニブタなどの体重１０ｋｇ以下の動物を乗せた状態での実験者の作業が行いやすい動物保定台を提供することを目的とする。
【課題を解決するための手段】
【００１０】
本発明によれば、動物を担持する担架の頭部側および尾部側をそれぞれ載置する一対の載置フレームと、その一対の載置フレームを支持する単一の支持フレームと、を備える動物用保定台が提供される。ここで、その支持フレームは、略長方形の台枠と、その台枠の一対の短辺上にそれぞれ設けられている門状枠体と、を有する。また、その載置フレームは、その門状枠体に沿って上下にスライド可能に設けられた略長方形のスライド枠体と、そのスライド枠体の上辺に設けられている上向きに開口した複数の溝を有する担架シャフトガイドと、を有する。そして、その一対の載置フレームとその単一の支持フレームとが、その一対の載置フレームをそれぞれ独立して昇降させる一対のボールねじ方式の昇降機構によって接続されている。
【００１１】
また、本発明によれば、上記の動物用保定台と、動物を担持する担架と、を備える動物用保定キットが提供される。ここで、その担架は、その動物の腹部から側部にかけて担持する可撓性の面状保定部と、その面状保定部を両脇で吊り下げるための一対の担架シャフトと、を有する。また、その面状保定部は、その一対の担架シャフトを挿通するために両脇に設けられている一対の挿通部と、その動物の足を入れ込む保定穴と、を有する。
【００１２】
これらの動物用保定台または動物用保定キットによれば、動物用保定台の支持フレームに支持された一対の載置フレームを一対のボールねじ式の昇降機構を使って下げた状態で、動物を担持する担架をその一対の載置フレームの担架シャフトガイドに載せて、その後に一対のボールねじ方式の昇降機構を使って動物を乗せた状態でその一対の載置フレームの高さを変えて、その一対の載置フレームに載せられた動物を担持する担架の高さを変えることができる。
【００１３】
また、これらの動物用保定台または動物用保定キットによれば、一対のボールねじ方式の昇降機構は、一対の載置フレームをそれぞれ独立して昇降させることができるため、その一対の載置フレームに載せられた動物を担持する担架を前後別々に上下させることができるので、動物の体位も変えることができる。
【００１４】
そして、これらの動物用保定台または動物用保定キットによれば、一対の門状枠体は台枠の一対の短辺上に設けられており、スライド枠体もその門状枠体に沿って設けられているので、台枠の長辺側には作業者の邪魔になる門状枠体およびスライド枠体が存在しない。そのため、この構成によれば、作業者が一対の載置フレームに載せられた担架に担持された動物へ容易にアプローチできる。
【発明の効果】
【００１５】
本発明によれば、動物を乗せた状態で高さを変えることができ、さらに動物の体位も変えることができ、動物へのアプローチが容易にできるため、動物を乗せた状態での実験者の作業が行いやすい。
【図面の簡単な説明】
【００１６】
【図１】実施形態に係る動物用保定台の昇降機構を下げた場合を示した斜視図である。
【図２】実施形態に係る動物用保定台の昇降機構を下げた場合を示した平面図である。
【図３】実施形態に係る動物用保定台の昇降機構を下げた場合を示した正面図である。
【図４】実施形態に係る動物用保定台の昇降機構を下げた場合を示した右側面図である。
【図５】実施形態に係る動物用保定台の昇降機構を下げた場合を示した底面図である。
【図６】実施形態に係る動物用保定台の昇降機構を下げた場合を示した背面図である。
【図７】実施形態に係る動物用保定台の昇降機構を下げた場合を示した左側面図である。
【図８】実施形態に係る動物用保定台の昇降機構を上げた場合を示した斜視図である。
【図９】実施形態に係る動物用保定台の昇降機構を上げた場合を示した正面図である。
【図１０】実施形態に係る動物用保定台の昇降機構を上げた場合を示した右側面図である。
【図１１】実施形態に係る動物用保定台の昇降機構を上げた場合を示した平面図である。
【図１２】実施形態に係る動物用保定台の昇降機構を上げた場合を示した底面図である。
【図１３】実施形態に係る動物用保定台の昇降機構を上げた場合を示した背面図である。
【図１４】実施形態に係る動物用保定台の昇降機構を上げた場合を示した左側面図である。
【図１５】実施形態に係る動物用保定台に担架を乗せた状態で昇降機構を下げた場合を示した斜視図である。
【図１６】実施形態に係る動物用保定台に担架を乗せた状態で昇降機構を上げた場合を示した斜視図である。
【図１７】実施形態に係る動物用保定台に担架を乗せた状態で頭側の昇降機構だけを上げた場合を示した斜視図である。
【図１８】実施形態に係る動物用保定台に担架を乗せた状態で尾側の昇降機構だけを上げた場合を示した斜視図である。
【図１９】実施形態に係る動物用保定台に担架および超小型ミニブタを乗せた状態で昇降機構を上げて作業者が麻酔または採血をしている場合を示した斜視図である。
【図２０】手前から超小型ミニブタ（マイクロミニピッグ（登録商標））、ミニブタ、ブタの大きさを比較した写真である。
【発明を実施するための形態】
【００１７】
以下、本発明の実施の形態について、図面を用いて説明する。尚、すべての図面において、同様な構成要素には同様の符号を付し、適宜説明を省略する。
【００１８】
（１）動物保定台の全体構成
図１は、実施形態に係る動物用保定台の昇降機構を下げた場合を示した斜視図である。また、図２〜図７は、実施形態に係る動物用保定台の昇降機構を下げた場合を示した６面図（平面図、正面図、右側面図、底面図、背面図、左側面図）である。本実施形態に係る動物用保定台１００は、動物を担持する担架（担架自体は不図示）の頭部側および尾部側をそれぞれ載置する一対の載置フレーム１０２を有する。また、動物用保定台１００は、一対の載置フレーム１０２を支持する単一の支持フレーム１０４を備える。
【００１９】
（２）支持フレームの構成
支持フレーム１０４は、略長方形の台枠１０６を有する。この台枠１０６は、一対の短辺１０８および一対の長辺１１０を有する略長方形の形状をしている。この台枠１０６の長辺１１０の長さは０．５ｍ〜１．５ｍである。なお、この長辺１１０の長さは、０．５ｍ、０．６ｍ、０．７ｍ、０．８、０．９ｍ、１．０ｍ、１．１ｍ、１．２ｍ、１．３ｍ、１．４ｍ、１．５ｍの任意の２つの値の範囲内であってもよい。また、この台枠１０６の短辺１０８の長さは０．３ｍ〜１．０ｍである。なお、この短辺１０８の長さは、０．３ｍ、０．４ｍ、０．５ｍ、０．６ｍ、０．７ｍ、０．８ｍ、０．９ｍ、１．０ｍの任意の２つの値の範囲内であってもよい。
【００２０】
また、支持フレーム１０４は、台枠１０６の一対の短辺１０８上にそれぞれ設けられている門状枠体１１２を有する。そして、門状枠体１１２は、台枠１０６の一対の短辺の両端に略垂直に設けられている一対の支柱部１１４を有する。また、門状枠体１１２は、一対の支柱部１１４の上端を水平方向につなげる上辺１１６を有している。この門状枠体１１２の支柱部１１４の高さは０．５ｍ〜１．５ｍである。なお、この支柱部１１４の高さは、０．５ｍ、０．６ｍ、０．７ｍ、０．８、０．９ｍ、１．０ｍ、１．１ｍ、１．２ｍ、１．３ｍ、１．４ｍ、１．５ｍの任意の２つの値の範囲内であってもよい。また、この門状枠体１１２の上辺１１６の長さは０．３ｍ〜１．０ｍである。なお、この上辺１１６の長さは、０．３ｍ、０．４ｍ、０．５ｍ、０．６ｍ、０．７ｍ、０．８ｍ、０．９ｍ、１．０ｍの任意の２つの値の範囲内であってもよい。
【００２１】
また、支持フレーム１０４は、門状枠体１１２の支柱部１１４と台枠１０６の長辺１１０とを斜めに接続する補強部材１１７をさらに有する。そして、この補強部材１１７および支柱部１１４の形成する角度１１５が２０°以下である。そのため、台枠１０６の長辺側には作業者の邪魔になる門状枠体１１２、スライド枠体１１８が存在せず、補強部材１１７も両端の邪魔にならない位置に存在する。そのため、この構成によれば、作業者が一対の載置フレーム１０２に載せられた担架（不図示）に担持された動物へ容易にアプローチできる。なお、この角度１１５は、２０°、１９°、１８°、１７°、１６°、１５°、１４°、１３°、１２°、１１°、１０°、９°、８°、７°、６°、５°、４°、３°、２°、１°のいずれかの角度以下であってもよく、任意の２つの角度の範囲内であってもよい。
【００２２】
（３）載置フレームの構成
また、載置フレーム１０２は、門状枠体１１２に沿って上下にスライド可能に設けられた略長方形のスライド枠体１１８を有する。そして、スライド枠体１１８は、床面に対して垂直方向に設けられている一対の支柱部１２０を有している。また、スライド枠体１１８は、一対の支柱部１２０の上端を水平方向につなげる上辺１２４を有している。また、スライド枠体１１８は、一対の支柱部１２０の下端を水平方向につなげる下辺１２２を有している。さらに、スライド枠体１１８は、一対の支柱部１２０の中央部を水平方向につなげる補強部材１２６を有している。
【００２３】
すなわち、スライド枠体１１８は、一対の支柱部１２０からなる一対の長辺と、上辺１２２および下辺１２４からなる一対の短辺を有する略長方形の形状をしている。このスライド枠体１１８の支柱部１２０の高さは０．５ｍ〜１．５ｍである。なお、この支柱部１２０の高さは、０．５ｍ、０．６ｍ、０．７ｍ、０．８、０．９ｍ、１．０ｍ、１．１ｍ、１．２ｍ、１．３ｍ、１．４ｍ、１．５ｍの任意の２つの値の範囲内であってもよい。また、このスライド枠体１２０の上辺１２２の長さは０．３ｍ〜１．０ｍである。なお、この上辺１２２の長さは、０．３ｍ、０．４ｍ、０．５ｍ、０．６ｍ、０．７ｍ、０．８ｍ、０．９ｍ、１．０ｍの任意の２つの値の範囲内であってもよい。
【００２４】
また、載置フレーム１０２は、スライド枠体１１８の上辺１２２に設けられている上向きに開口した複数の溝１２８を有する担架シャフトガイド１３０を有する。この溝１２８は、担架シャフトガイド１３０に４箇所以上設けられている。この担架シャフトガイド１３０に設けられる溝１２８は、担架シャフト（不図示）がうまく嵌り込むように構成されている。そして、４箇所以上の溝１２８が設けられているために、担架シャフト（不図示）同士の幅を適宜調整することができるようになっている。なお、担架シャフトガイド１３０に設けられる溝１２８の個数は、４箇所であってもよいが、５箇所、６箇所、７箇所、８箇所、９箇所、１０箇所、１１箇所、１２箇所、１３箇所、１４箇所、１５箇所、１６箇所、１７箇所、１８箇所、１９箇所、２０箇所であってもよい。
【００２５】
（４）昇降機構の構成
図８は、実施形態に係る動物用保定台の昇降機構を上げた場合を示した斜視図である。また、図９〜図１４は、実施形態に係る動物用保定台の昇降機構を下げた場合を示した６面図（平面図、正面図、右側面図、底面図、背面図、左側面図）である。
【００２６】
また、一対の載置フレーム１０２と単一の支持フレーム１０４とは、一対の載置フレーム１０２をそれぞれ独立して昇降させる一対のボールねじ方式の昇降機構１３２によって接続されている。そして、昇降機構１３２は、支持フレーム１０４に設けられている昇降用ボールねじ１３４を有する。また、昇降機構１３２は、載置フレーム１０２に設けられているボールねじナット１３６を有する。そして、昇降用ボールねじ１３４とボールねじナット１３６間でボール（不図示）が転がり運動をして摩擦を低減した状態で、回転運動が直線運動に変換されるため、昇降用ボールねじ１３４が回転するとその回転方向に応じてボールねじナット１３６がスムーズに昇降する。
【００２７】
また、昇降機構１３２は、昇降用ボールねじ１３４を手動で回転するための昇降用ハンドル１３８を有する。昇降用ハンドル１３８の回転方向とボールねじナット１３６の昇降方向との関係は限定されないが、通常は昇降用ハンドル１３８を右に回転するとボールねじナット１３６は上昇し、昇降用ハンドル１３８を左に回転するとボールねじナット１３６は下降する。そして、昇降機構１３２は、昇降用ハンドル１３８の回転をロックするためのハンドルロック１４０を有する。このハンドルロック１４０をオンにすると昇降用ハンドル１３８は回転しなくなるので、ボールねじナット１３６の高さを固定できる。一方、このハンドルロック１４０をオフにすると昇降用ハンドル１３８は回転するようになるので、ボールねじナット１３６を昇降させることができる。
【００２８】
この昇降用ハンドル１３８を１回転する毎に、ボールねじナット１３６の上下方向への移動距離は５ｍｍ〜２０ｍｍとなるように設計されている。この数値範囲であれば、作業者が無理な力を入れずに昇降作業を行うことができ、昇降スピードが遅すぎることもない。なお、この上下方向への移動距離は５ｍｍ、６ｍｍ、７ｍｍ、８ｍｍ、９ｍｍ、１０ｍｍ、１１ｍｍ、１２ｍｍ、１３ｍｍ、１４ｍｍ、１５ｍｍ、１６ｍｍ、１７ｍｍ、１８ｍｍ、１９ｍｍ、２０ｍｍの任意の２つの数値の範囲内であってもよい。
【００２９】
ボールねじナット１３６は、載置フレーム１０２を構成するスライド枠体１１８の下辺１２２の両端の内側に接続されている。そのため、昇降用ハンドル１３８を回転させてボールねじナット１３６を上下に移動させると、それにしたがってスライド枠体１１８も上下に移動する。そのため、昇降用ハンドル１３８を回転させると載置フレーム１０２が昇降することになる。
【００３０】
また、昇降機構１３２は、昇降用ボールねじ１３４を支持するための昇降用ボールねじの支持部１３５を有する。この昇降用ボールねじの支持部１３５は、昇降用ボールねじ１３４と平行する位置に設けられており、台枠の短辺１０８に下端が接続されており、門状枠体の上辺１１６に上端が接続されている。そして、昇降用ボールねじの支持部１３５および昇降用ボールねじの支持部１３５は、互いに上端および下端で接続板（符号を付与せず）によって接続されている。
【００３１】
図１５〜図１８は、実施形態に係る動物用保定台の使用状態の図面（担架を載せて昇降機を下げた場合、担架を載せて昇降機を上げた場合、担架を載せて頭側を上げた場合、担架を載せて尾側を上げた場合などの斜視図）である。
【００３２】
この動物用保定台１００（または動物用保定キット３００）によれば、動物用保定台１００の支持フレーム１０４に支持された一対の載置フレーム１０２を一対のボールねじ式の昇降機構１３２を使って下げた状態で、動物（不図示）を担持する担架２００をその一対の載置フレーム１０２の担架シャフトガイド１３０に載せて、その後に一対のボールねじ方式の昇降機構１３２を使って動物（不図示）を乗せた状態でその一対の載置フレーム１０２の高さを変えて、その一対の載置フレーム１０２に載せられた動物２０４を担持する担架２００の高さを変えることができる。
【００３３】
また、この動物用保定台１００（または動物用保定キット３００）によれば、一対のボールねじ方式の昇降機構１３２は、一対の載置フレーム１０２をそれぞれ独立して昇降させることができるため、その一対の載置フレーム１０２に載せられた動物（不図示）を担持する担架２００を前後別々に上下させることができるので、動物（不図示）の体位も変えることができる。
【００３４】
そして、この動物用保定台１００（または動物用保定キット３００）によれば、一対の門状枠体１１２は台枠１０６の一対の短辺１０８上に設けられており、スライド枠体１１８もその門状枠体１１２に沿って設けられているので、台枠１０６の長辺１１０側には作業者の邪魔になる門状枠体１１２およびスライド枠体１１８が存在しない。そのため、この構成によれば、作業者が一対の載置フレーム１０２に載せられた担架２００に担持された動物（不図示）へ容易にアプローチできる。
【００３５】
（５）ガイド機構の構成
本実施形態の動物用保定台１００は、載置フレーム１０２の昇降をガイドするガイド機構１４２をさらに備えている。そして、ガイド機構１４２が、スライド枠体１１８を門状枠体１１２に沿ってスライドさせる。
【００３６】
具体的には、このガイド機構１４２は、スライド枠体１１８に設けられているガイドブロック１４４を有している。そして、このガイドブロック１４４は、門状枠体１１２の支柱部１１４をガイドレールとして摺動自在に設けられている。また、このガイド機構１４２は、スライド枠体１１８に設けられているガイドリング１４６を有している。そして、このガイドリング１４６は、昇降用ボールねじ１３４（または昇降用ボールねじの支持部１３５）をガイドレールとして摺動自在に設けられている。そのため、スライド枠体１１８は、門状枠体１１２に沿って上下方向にスライドする際に揺動したり傾いたりすることが防がれる。
【００３７】
これらのガイドブロック１４４およびガイドリング１４６は、いずれもスライド枠体１１８の一対の支柱部１２０の中央部を水平方向につなげる補強部材１２６の両端の内側に設けられている。そのため、スライド枠体１１８が、タンカ昇降ストロークの上端にまで上昇すると、ガイドブロック１４４およびガイドリング１４６が門状枠体１１２の上辺１１６によって規制されてそれ以上は上昇できなくなる。そのため、スライド枠体１１８が門状枠体１１２から外れて脱落することはない。
【００３８】
（６）動物を担持する担架の構成
図１９は、実施形態に係る動物用保定台に担架および超小型ミニブタを乗せた状態で昇降機構を上げて作業者が麻酔または採血をしている場合を示した斜視図である。図２０は、手前から超小型ミニブタ（マイクロミニピッグ（登録商標））、ミニブタ、ブタの大きさを比較した写真である。本実施形態の動物用保定キット３００は、上記の動物用保定台１００と、動物２０４を担持する担架２００と、を備える。この動物２０４としては、例えば体重１５ｋｇ以下の超小型ミニブタ（マイクロミニピッグ（登録商標））を想定している。なお、動物２０４の体重は１５ｋｇ、１４ｋｇ、１３ｋｇ、１２ｋｇ、１１ｋｇ、１０ｋｇ、９ｋｇ、８ｋｇ、７ｋｇ、６ｋｇ、５ｋｇ、４ｋｇ、３ｋｇ、２ｋｇ、１ｋｇのいずれかの重さ以下であってもよく、任意の２つの重さの範囲内であってもよい。
【００３９】
この担架２００は、動物２０４の腹部から側部にかけて担持する可撓性の面状保定部２０６を有している。また、この担架２００は、面状保定部２０６を両脇で吊り下げるための一対の担架シャフト２０２を有する。そして、面状保定部２０６は、一対の担架シャフト２０２を挿通するために両脇に設けられている一対の挿通部２０８を有する。また、面状保定部２０６は、動物の足を入れ込む保定穴２１０を有する。この保定穴２１０は、体重１５ｋｇ以下の超小型ミニブタ（マイクロミニピッグ（登録商標））の足を収容可能に設けられている。なお、この保定穴２１０が足を収容可能な超小型ミニブタ（マイクロミニピッグ（登録商標））の体重は１５ｋｇ、１４ｋｇ、１３ｋｇ、１２ｋｇ、１１ｋｇ、１０ｋｇ、９ｋｇ、８ｋｇ、７ｋｇ、６ｋｇ、５ｋｇ、４ｋｇ、３ｋｇ、２ｋｇ、１ｋｇのいずれかの重さ以下であってもよく、任意の２つの重さの範囲内であってもよい。
【００４０】
ここで、超小型ミニブタ（マイクロミニピッグ（登録商標））は、体重が１５ｋｇ以下（通常は成熟時でも約１０ｋｇ）であり、通常のミニブタの体重３０〜４０ｋｇに比べると著しく体重が軽い。そのため、通常のミニブタの動物用保定台に用いた場合には強度的に問題があって使用が困難であったボールねじ方式の昇降機構１３２を用いることが可能になった。
【００４１】
もっとも、超小型ミニブタ（マイクロミニピッグ（登録商標））の体重がミニブタに比べれば軽いとはいえ、１０ｋｇ近くの体重がある場合には、スライド枠体１１８が門状枠体１１２に沿って上下方向にスライドする際に揺動したり傾いたりすることがありえる。そこで、上記の実施形態ではガイド機構１４２を設けることによってそのような問題を抑制している。また、台枠の長辺側には作業者の邪魔になる門状枠体１１２、スライド枠体１１８が存在しないように設計しているため、超小型ミニブタ（マイクロミニピッグ（登録商標））の体重が１０ｋｇ近い場合には門状枠体１１２が揺動したり傾くことがありえる。そこで、上記の実施形態では補強部材１１７を台枠１０６の長辺１１０の両端の邪魔にならない位置に設けることによってそのような問題を抑制している。
【００４２】
以上、図面を参照して本発明の実施形態について述べたが、これらは本発明の例示であり、上記以外の様々な構成を採用することもできる。
【００４３】
例えば、上記実施の形態では支持フレーム１０４および載置フレーム１０２の材料について述べていないが、例えばアルミニウム合金、ステンレスなどを好適に用いることができる。特にアルミニウム合金を用いた場合には、支持フレーム１０４および載置フレーム１０２の剛性を確保しながら軽量化できるという利点が得られる。
【００４４】
また、上記実施の形態では、ボールねじ方式の昇降機構１３２を手動で操作することとしたが、例えば実験者は操作パネルを用いて電動モータを制御して昇降用ボールねじ１３４を回転させる構成としてもよい。この場合には、実験者は肉体的な負担をさらに軽減することができる。
【００４５】
なお、上記の実施形態では、詳しく説明しなかったが、動物用保定台１００の支持フレーム１０４の台枠１０６の４箇所の角にはキャスター１４８（好ましくは、ストッパー機能付き）を設けることが好ましい。このようにすれば、実験者が動物用保定台１００を移動させることが容易になるためである。
【符号の説明】
【００４６】
１００  動物用保定台
１０２  載置フレーム
１０４  支持フレーム
１０６  台枠
１０８  台枠の短辺
１１０  台枠の長辺
１１２  門状枠体
１１４  門状枠体の支柱部
１１５  支持フレームの補強部材および支柱部の形成する角度
１１６  門状枠体の上辺
１１７  支持フレームの補強部材
１１８  スライド枠体
１２０  スライド枠体の支柱部
１２２  スライド枠体の下辺
１２４  スライド枠体の上辺
１２６  スライド枠体の補強部材
１２８  溝
１３０  担架シャフトガイド
１３２  昇降機構
１３４  昇降用ボールねじ
１３５  昇降用ボールねじの支持部
１３６  ボールねじナット
１３８  昇降用ハンドル    
１４０  ハンドルロック
１４２  ガイド機構
１４４  ガイドブロック
１４６  ガイドリング
１４８  キャスター
２００  担架
２０２  担架シャフト
２０４  動物（マイクロミニピッグ（登録商標））
２０６  面状保定部
２０８  挿通部
２１０  保定穴
３００  動物用保定キット
【図１】
2014147376.tif 000003
【図２】
2014147376.tif 000004
【図３】
2014147376.tif 000005
【図４】
2014147376.tif 000006
【図５】
2014147376.tif 000007
【図６】
2014147376.tif 000008
【図７】
2014147376.tif 000009
【図８】
2014147376.tif 000010
【図９】
2014147376.tif 000011
【図１０】
2014147376.tif 000012
【図１１】
2014147376.tif 000013
【図１２】
2014147376.tif 000014
【図１３】
2014147376.tif 000015
【図１４】
2014147376.tif 000016
【図１５】
2014147376.tif 000017
【図１６】
2014147376.tif 000018
【図１７】
2014147376.tif 000019
【図１８】
2014147376.tif 000020
【図１９】
2014147376.tif 000021
【図２０】
2014147376.tif 000022